(57)【要約】【課題】複数の要因によって生じる画像形成位置の不整合を補正して、表面／裏面の位置精度を向上させる。【解決手段】画像形成装置１は、転写紙の紙種の特性を示す指標及び紙種毎に転写紙が格納されるトレイに応じて、倍率、先端タイミング、片寄り等の調整データを操作表示部１２から入力させて、入力された調整データを調整ファイル１１ｆに設定する。そして、画像形成を行う際に、転写紙の紙種の特性を示す指標及びトレイに応じて調整データを調整ファイル１１ｆから取得して、調整データに基づいて画像形成を行わせる。【選択図】図１
2005186335.tif 000002
【特許請求の範囲】
【請求項１】
転写紙に画像データを画像形成する画像形成部を備える画像形成装置であって、
前記複数の紙種の特性を示す指標に応じて調整データを書き換え可能に記憶する調整ファイルと、
転写紙の紙種の特性を示す指標に応じた調整データに基づいて、画像形成部に画像形成を行わせる制御部と、
を備えることを特徴とする画像形成装置。
【請求項２】
前記調整データを設定するための設定画面を表示し、当該設定画面において調整データを紙種の特性を示す指標に応じて入力させる操作表示部を備え、
前記調整ファイルは、前記設定画面において入力された調整データを紙種の特性を示す指標に応じて記憶することを特徴とする請求項１記載の画像形成装置。
【請求項３】
前記操作表示部は、縦／横倍率、先端タイミング及び片寄りのうち少なくとも一以上の調整データを転写紙の表面及び裏面に応じて入力させ、
前記調整ファイルは、入力された縦／横倍率、先端タイミング及び片寄りのうち少なくとも一以上の調整データを転写紙の表面及び裏面に応じて記憶することを特徴とする請求項２記載の画像形成装置。
【請求項４】
前記操作表示部は、転写紙の材質、坪量、製造方法、銘柄、サイズ、スキ方向、表面粗さのうち少なくとも一以上の紙種の特性を示す指標又はこれらを組み合わせた紙種の特性を示す指標に応じて前記調整データを入力させ、
前記調整ファイルは、転写紙の材質、坪量、製造方法、銘柄、サイズ、スキ方向、表面粗さのうち少なくとも一以上の紙種の特性を示す指標又はこれらを組み合わせた紙種の特性を示す指標に応じて前記調整データを記憶し、
前記制御部は、前記転写紙の紙種の特性を示す指標に応じた調整データに基づいて、画像形成部に画像形成を行わせることを特徴とする請求項２又は３記載の画像形成装置。
【請求項５】
複数の紙種毎に転写紙を格納する複数のトレイを備え、
前記調整ファイルは、前記紙種及びトレイのうち少なくとも一方に対応付けて調整データを記憶し、
前記制御部は、紙種及びトレイのうち少なくとも一方に応じた調整データに基づいて、画像形成部に画像形成を行わせることを特徴とする請求項１から４のいずれか一項に記載の画像形成装置。
【請求項６】
前記調整ファイルは、予め設定された調整データの基準値を記憶し、
前記制御部は、紙種及びトレイのうち少なくとも一方に応じた調整データが前記調整ファイルに記憶されていない場合、前記予め設定された調整データの基準値に基づいて、画像形成部に画像形成を行わせることを特徴とする請求項５記載の画像形成装置。
【請求項７】
前記調整ファイルは、ＪＯＢモードに対応付けて調整データを記憶し、
前記制御部は、ＪＯＢモードに応じた調整データに基づいて、画像形成部に画像形成を行わせることを特徴とする請求項５又は６記載の画像形成装置。
【請求項８】
前記制御部は、実行すべきＪＯＢのうち少なくとも一部のＪＯＢを実行させた後に、前記調整ファイルの調整データを書き換える調整モードを設定することを特徴とする請求項１から７のいずれか一項に記載画像形成装置。
【発明の詳細な説明】
【技術分野】
【０００１】
本発明は、複数の紙種の転写紙の両面に画像を形成する画像形成装置に関する。
【背景技術】
【０００２】
従来、プリンタや複写機等の高機能化が実現されるに伴い、用途に応じて多種類の転写紙に画像形成を行う画像形成装置が種々開発されている。画像形成に用いられる転写紙は、紙種に応じてその特性が変化する。そこで、普通紙、トレーシングペーパ、ＯＨＰフィルム等の紙種の異なる転写紙に画像データの倍率を変化させて画像形成を行う場合、定型的な倍率設定だけでなく、紙種に応じた補正倍率を設定して画像形成を行う画像形成装置が開発されている（例えば、特許文献１参照）。
【特許文献１】特開平１１−１１９５９８号公報
【発明の開示】
【発明が解決しようとする課題】
【０００３】
しかしながら、近年の画像形成装置の高機能化に伴い、転写紙の動きや転写紙に与えられる外部要因が複雑化し、倍率を補正するだけでは、紙種の特性に拠る画像形成の不整合を補正しきれないという問題があった。例えば、転写紙の表／裏の両面に画像形成を行う場合、最初に表面への画像形成が行われると、表面の定着時の加熱により転写紙に含まれる水分が蒸発し、転写紙の収縮が生じる。その後、転写紙が収縮した状態のまま裏面への画像形成が行われると、裏面の画像形成終了後、転写紙が吸湿して収縮が戻ることにより、転写紙に画像形成された画像が拡大する。すなわち、表面と裏面の画像サイズが異なるという問題があった。この場合、画像の倍率の補正だけでは、表面画像と裏面画像との位置ズレや片寄りを調整することができず、位置精度を向上させることができなかった。
【０００４】
また、上述したように同一の紙種であっても、表／裏に応じて補正値に違いが生じるため、紙種に応じた補正だけではなく、ＪＯＢモードに応じた補正も必要となる。さらに、定着時の加熱による転写紙の収縮は、紙種の微差によっても生じるため、普通紙、トレーシングペーパ、ＯＨＰといった大別的な分類では対応しきれず、より詳細な材質、紙のスキ方向、重さ、厚さ等の複数の要因に応じて紙種を分類する必要がある。
【０００５】
本発明の課題は、複数の要因によって生じる画像形成位置の不整合を補正して、表面／裏面の位置精度を向上させることが可能な画像形成装置を提供することである。
【課題を解決するための手段】
【０００６】
上記課題を解決するために、請求項１記載の発明は、
複数の紙種の特性を示す指標の転写紙に画像形成する画像形成部を備える画像形成装置であって、
前記複数の紙種の特性を示す指標に応じて調整データを書き換え可能に記憶する調整ファイルと、
転写紙の紙種の特性を示す指標に応じた調整データに基づいて、画像形成部に画像形成を行わせる制御部と、
を備えることを特徴としている。
【０００７】
請求項２記載の発明は、請求項１記載の画像形成装置において、
前記調整データを設定するための設定画面を表示し、当該設定画面において調整データを紙種の特性を示す指標に応じて入力させる操作表示部を備え、
前記調整ファイルは、前記設定画面において入力された調整データを紙種の特性を示す指標に応じて記憶することを特徴としている。
【０００８】
請求項３記載の発明は、請求項２記載の画像形成装置において、
前記操作表示部は、縦／横倍率、先端タイミング及び片寄りのうち少なくとも一以上の調整データを転写紙の表面及び裏面に応じて入力させ、
前記調整ファイルは、入力された縦／横倍率、先端タイミング及び片寄りのうち少なくとも一以上の調整データを転写紙の表面及び裏面に応じて記憶することを特徴としている。
【０００９】
請求項４記載の発明は、請求項２又は３記載の画像形成装置において、
前記操作表示部は、転写紙の材質、坪量、製造方法、銘柄、サイズ、スキ方向、表面粗さのうち少なくとも一以上の紙種の特性を示す指標又はこれらを組み合わせた紙種の特性を示す指標に応じて前記調整データを入力させ、
前記調整ファイルは、転写紙の材質、坪量、製造方法、銘柄、サイズ、スキ方向、表面粗さのうち少なくとも一以上の紙種の特性を示す指標又はこれらを組み合わせた紙種の特性を示す指標に応じて前記調整データを記憶し、
前記制御部は、前記転写紙の紙種の特性を示す指標に応じた調整データに基づいて、画像形成部に画像形成を行わせることを特徴としている。
【００１０】
請求項５記載の発明は、請求項１から４のいずれか一項に記載の画像形成装置において、
複数の紙種毎に転写紙を格納する複数のトレイを備え、
前記調整ファイルは、前記紙種及びトレイのうち少なくとも一方に対応付けて調整データを記憶し、
前記制御部は、紙種及びトレイのうち少なくとも一方に応じた調整データに基づいて、画像形成部に画像形成を行わせることを特徴としている。
【００１１】
請求項６記載の発明は、請求項５記載の画像形成装置において、
前記調整ファイルは、予め設定された調整データの基準値を記憶し、
前記制御部は、紙種及びトレイのうち少なくとも一方に応じた調整データが前記調整ファイルに記憶されていない場合、前記予め設定された調整データの基準値に基づいて、画像形成部に画像形成を行わせることを特徴とする。
【００１２】
請求項７記載の発明は、請求項５又は６記載の画像形成装置において、
前記調整ファイルは、ＪＯＢモードに対応付けて調整データを記憶し、
前記制御部は、ＪＯＢモードに応じた調整データに基づいて、画像形成部に画像形成を行わせることを特徴としている。
【００１３】
請求項８記載の発明は、請求項１から７のいずれか一項に記載画像形成装置において、
前記制御部は、実行すべきＪＯＢのうち少なくとも一部のＪＯＢを実行させた後に、前記調整ファイルの調整データを書き換える調整モードを設定することを特徴としている。
【発明の効果】
【００１４】
請求項１記載の発明によれば、調整ファイルに記憶された調整データを複数の紙種の特性を示す指標に応じて取得し、当該調整データに基づいて最適な画像形成を行うことができるため、品質のよい画像を提供することができる。
【００１５】
請求項２記載の発明によれば、ユーザにより設定された調整データを調整ファイルに記憶し、適宜最適な調整データを取得して、画像形成を行うことができるため、画像形成毎に調整データを設定する必要がなく、容易に最適な調整データに基づいて、画像形成を行うことができる。また、調整データの微調整を行うことにより、より品質のよい画像を提供することができる。
【００１６】
請求項３記載の発明によれば、転写紙の紙種の特性を示す指標、転写紙の表面／裏面に応じて、縦／横倍率、先端タイミング、片寄り等の調整データをユーザにより設定可能となるため、ユーザの使用目的に応じて最適な調整を行うことができ、精度良く転写紙の表面及び裏面に画像形成することができる。
【００１７】
請求項４記載の発明によれば、複数の紙種（例えば、材質、坪量、銘柄、製造方法、サイズ、スキ方向、表面粗さ等）に応じて、調整データを設定することができるため、詳細な転写紙の性質に応じて調整データを設定できる。これにより、紙種の微差によって生じる位置ズレや片寄りを精度よく補正することができる。
【００１８】
請求項５記載の発明によれば、紙種を意識することなくトレイの種類に応じて、最適な調整データに基づいて画像形成を行うことができる。これにより、ユーザは、複雑な紙種をそれぞれ把握する必要がなく、紙種の選択ミス等を防止することができる。
【００１９】
請求項６記載の発明によれば、紙種、トレイに対応する調整データがない場合に、調整データの基準値に基づいて画像形成を行うことができる。これにより、調整データを設定していない場合であっても、基準値に基づいて精度よく画像形成を行うことができる。
【００２０】
請求項７記載の発明によれば、設定されたＪＯＢモードに応じて、最適な調整データを取得させて画像形成を行わせることができる。これにより、例えば、ＪＯＢモードに応じて、表面／裏面への画像形成の有無を制御することができ、最適な調整データに基づいて画像形成を行うことができる。
【００２１】
請求項８記載の発明によれば、例えば、ＪＯＢの一部を実行して出力された画像確認を行う場合に、画像確認後に調整モードが設定され、調整データの設定、登録を行わせることができる。これにより、画像確認後に、調整データの再設定を行うことができ、転写紙に形成される画像の倍率や画像位置を微調整して高精度に画像を形成することができる。
【発明を実施するための最良の形態】
【００２２】
以下、図１〜図７を参照して本発明の実施の形態を詳細に説明する。ただし、発明の範囲は、図示例に限定されない。
【００２３】
まず、本実施の形態の構成を説明する。
図１は、本実施の形態における画像形成装置１の機能的構成を示すブロック図である。図１に示すように、画像形成装置１は、制御部１１、操作表示部１２、読込部１３、画像形成部１４、エンジン制御部１５、駆動部１６、センサ部１７等から構成されている。
【００２４】
制御部１１は、図２に示すように、ＣＰＵ（Central Processing Unit）１１ａ、ＲＯＭ（Read Only Memory）１１ｂ、ＲＡＭ（Random AccessMemory）１１ｃ、Ｉ／Ｏ１１ｄ、不揮発メモリ１１ｅ等により構成される。ＣＰＵ１１ａは、ＲＯＭ１１ｂに記憶された各種制御プログラムをＲＡＭ１１ｃの記憶領域に展開し、当該プログラムに基づいて画像形成装置１全体の制御や各部への指示等の各種処理を行う。例えば、ＣＰＵ１１ａは、ＲＯＭ１１ｂから登録処理プログラム、調整データ設定処理プログラムを読み出して、後述する登録処理（図４参照）、調整データ設定処理（図５参照）を実行する。なお、各処理の詳細は後述する。
【００２５】
また、Ｉ／Ｏ１１ｄは、ＣＰＵ１１ａと、操作表示部１２、読込部１３、画像形成部１４等との間でデータの入出力を行うインターフェースである。不揮発メモリ１１ｅは、電気的に書き換え可能なＥＥＰＲＯＭ（Electrically Erasable Programmable Read Only Memory）やＨＤＤ（Hard Disc Drive）から構成され、各種処理プログラム及び処理プログラムで処理されたデータ等を格納している。例えば、不揮発メモリ１１ｅは、後述する登録処理において登録された調整データ等を格納する調整ファイル１１ｆを記憶している。
【００２６】
図３を参照して、不揮発メモリ１１ｅに格納される調整ファイル１１ｆについて説明する。図３は、調整ファイル１１ｆのデータ構成例を示す図である。図３に示すように、調整ファイル１１ｆは、登録名、トレイ、紙種１（材質）、紙種２（坪量）、紙種３（銘柄）を含む設定条件と、倍率（表面／裏面）、先端タイミング（表面／裏面）、片寄り（表面／裏面）を含む調整データとを格納するレコード１１ｇ〜１１ｎにより構成される。
【００２７】
まず、設定条件が格納されるレコード１１ｇ〜１１ｋについて説明する。
登録名のレコード１１ｇには、後述する調整データ設定画面においてユーザから入力される登録名のテキストデータが、例えば、「ファイル１（ＰＰＣ）」として格納されている。トレイのレコード１１ｈには、画像形成部１４に備えられる複数のトレイの中から選択されたトレイの種類を示すデータが、例えば、「トレイ１」として格納されている。紙種１（材質）のレコードには、紙種の特性を示す指標のうち材質を示すデータが、例えば、「ＰＰＣ用紙縦目」として格納されている。紙種２（坪量）のレコード１１ｊには、転写紙の面積当たりの重量を示す坪量の数値データが、例えば、「〜60g/m2」として格納されている。紙種３（銘柄）のレコード１１ｋには、転写紙の銘柄（名称）を示すテキストデータが、例えば、「○○紙」として格納されている。
【００２８】
次に調整データが格納されるレコード１１ｌ〜１１ｎについて説明する。なお、調整データは、転写紙の表面／裏面に対応付けてそれぞれ記憶されており、上段が表面に対応するデータであり、下段が裏面に対応するデータである。
倍率のレコード１１ｌには、転写紙の表面／裏面の倍率を設定するための調整データが、例えば「０．１％，−０．１％」として格納されている。先端タイミングのレコード１１ｍには、転写紙の表面／裏面への書き出しタイミングを設定するための調整データが、「０．１mm，０．２mm」として格納されている。片寄りのレコード１１ｎには、転写紙の表面／裏面の幅に対する片寄りを補正するための調整データが、例えば、「０．２mm，０．１ｍｍ」として格納されている。
【００２９】
なお、調整ファイル１１ｆに格納される紙種１〜３は一例であり、その他種々の紙種の特性を示す指標（例えば、サイズ、製造方法、スキ方向、表面粗さ等）が記憶されている構成であってもよい。また、調整ファイル１１ｆに紙種及びトレイの少なくとも一方が記憶されていればよく、どちらか一方に基づいて調整データが取得可能な構成であればよい。或いは、登録名、トレイ、紙種１〜３の組み合わせに応じて調整データが取得される構成であってもよい。
【００３０】
さらに、調整ファイル１１ｆは、ＪＯＢモードに対応付けて調整データが記憶されていてもよい。例えば、両面印刷を行うＪＯＢモードには、表面／裏面の調整データが対応付けて記憶され、その他のＪＯＢモードには、一面のみの調整データが記憶される構成であっても良い。これにより、選択されたＪＯＢモードに応じて調整ファイル１１ｆから調整データが取得され、ＪＯＢモードの応じた画像形成を行うことができる。
【００３１】
制御部１１は、上述した調整ファイル１１ｆに記憶される調整データを取得し、画像形成部１４、エンジン制御部１５を制御して、転写紙に画像データの画像形成を行わせる。具体的に、制御部１１は、倍率を調整データに基づいて補正する場合、主走査方向にあっては、画像書込みクロック周波数を可変することにより調整し、副走査方向にあっては、感光体と転写紙の速度を可変することにより調整する。また、先端タイミングを調整データに基づいて補正する場合、副走査方向の画像書き出しタイミングを可変することにより調整するか、感光体への転写紙進入タイミングを可変することにより調整する。さらに、片寄りを補正する場合、主走査方向の書き出しタイミングを可変することにより調整する。なお、制御部１１は、上記制御を表面／裏面に応じて独立に制御して調整を行う。
【００３２】
操作表示部１２は、ＬＣＤ（Liquid Crystal Display）により構成され、制御部１１から入力される表示信号の指示に従って表示画面上に各種操作ボタンや装置の状態表示、各機能の動作状況等の表示を行う。ＬＣＤの表示画面上は、透明電極を格子状に配置して構成された感圧式（抵抗膜圧式）のタッチパネルに覆われており、手指やタッチペン等で押下された力点のＸＹ座標を電圧値で検出し、検出された位置信号を操作信号として制御部１１に出力する。また、操作表示部１２は、数字ボタン、スタートボタン等の各種操作ボタンを備え、ボタン操作による操作信号を制御部１１に出力する。なお、操作表示部１２は、操作部と表示部とが別体として構成されていてもよい。
【００３３】
読込部１３は、光源、ミラー群、レンズ、ＣＣＤ（Charge Coupled Device）等により構成される。読込部１３は、制御部１１の制御に応じて光源から原稿へ照明走査した光をミラー群により反射させ、反射光をレンズにより結像してＣＣＤにより光電変換して原稿画像を読み取り、読み取った画像データを画像形成部１４に出力する。
【００３４】
書込部１４は、ＬＤ（Laser Diode）、感光ドラム、複数の紙種毎に転写紙を格納する複数のトレイ、画像形成後の転写紙を排出する排紙部等を備えて構成される。書込部１４は、画像信号に基づいてＬＤを駆動制御して、感光ドラム表面に静電潜像を形成する。さらに、感光ドラム表面の静電潜像を含む領域にトナーを付着させ、給紙部から搬送される転写紙にトナーを転写して定着させた後、排出部から排出する。
【００３５】
エンジン制御部１５は、制御部１１の制御により、調整データと、センサ部１７から入力されるデータとに基づいて、各駆動部１６を制御する。駆動部１６は、モータ等からなり、エンジン制御部１５の制御に応じて駆動される。センサ部１７は、例えば、温度センサ、バイパスセンサ、通過検知センサ、排紙センサ等により構成され、検出信号をエンジン制御部１５に出力する。
【００３６】
次に、本実施の形態の動作を説明する。
なお、動作説明の前提として、以下のフローチャートに記述されている各処理を実現するためのプログラムは、画像形成装置１のＣＰＵ１１ａが読み取り可能なプログラムコードの形態でＲＯＭ１１ｂに格納されており、ＣＰＵ１１ａは、当該プログラムコードに従った動作を逐次実行する。
【００３７】
図４を参照して、調整ファイル１１ｆに調整データの登録を行う登録処理について説明する。図４は、画像形成装置１のＣＰＵ１１ａにより実行される登録処理を示すフローチャートである。図４に示すように、ＣＰＵ１１ａは、操作表示部１２を介して、ユーザから調整データの設定指示が入力されたか否かを判別し（ステップＳ１）、調整データの設定指示が入力された場合（ステップＳ１；ＹＥＳ）、調整モードを設定し、操作表示部１２に調整データ設定画面を表示させる（ステップＳ２）。ここで、図６を参照して、調整データ設定画面について説明する。
【００３８】
図６は、調整データ設定画面１２１の一例を示す図である。図６に示すように、調整画面１２１には、登録名を入力する項目１２１ａ、表面の調整データを入力する領域１２１ｂ、裏面の調整データを入力する領域１２１ｃ、確定の指示を入力する確定ボタン１２１ｄ、登録の指示を入力する登録ボタン１２１ｅが設けられている。また、領域１２１ｂには、倍率の調整データを表示する領域１２１ｆ、倍率の調整データを入力するボタン１２１ｇ、先端タイミングの調整データを表示する領域１２１ｈ、先端タイミングの調整データを入力するボタン１２１ｉ、片寄りの調整データを表示する領域１２１ｊ、片寄りの調整データを入力するボタン１２１ｋが設けられている。
【００３９】
調整設定画面１２１において、領域１２１ｂに設けられる各ボタン１２１ｇ，１２１ｉ，１２１ｋが指示されることにより、転写紙の表面における各種調整データが入力され、対応する表示領域１２１ｆ，１２１ｈ，１２１ｊに調整データが表示される。また、領域１２１ｃにも、領域１２１ｂと同様に、各調整データの表示領域及び入力ボタンが設けられ、対応するボタンが指示されることにより、転写紙の裏面における各種調整データが入力され、対応する表示領域に設定値が表示される。また、確定ボタン１２１ｄが指示されると、後述する設定条件入力画面が表示される。さらに、登録ボタン１２１ｅが指示されると、入力された各調整データが調整ファイル１１ｆに格納されて登録が行われる。
【００４０】
図４に戻り、ＣＰＵ１１ａは、操作表示部１２に表示させた調整データ設定画面１２１において、調整データの設定を行う調整データ設定処理を実行する（ステップＳ３）。図５を参照して、調整データ設定処理について説明する。図５は、登録処理の一部として実行される調整データ設定処理を示すフローチャートである。
【００４１】
図５に示すように、ＣＰＵ１１ａは、上述した調整データ設定画面１２１において、登録名を入力する項目が選択された場合（ステップＳ１１；ＹＥＳ）、登録名を入力させる（ステップＳ１２）。次いで、表面が選択され（ステップＳ１３；ＹＥＳ）、倍率の項目が選択されると（ステップＳ１４；ＹＥＳ）、倍率の調整データを入力させ（ステップＳ１５）、先端タイミングの項目が選択されると（ステップＳ１６；ＹＥＳ）、先端タイミングの調整データを入力させ（ステップＳ１７）、片寄りの項目が選択されると（ステップＳ１８）、偏りの調整データを入力させる（ステップＳ１９）。
【００４２】
続いて、裏面が選択された場合（ステップＳ２０；ＹＥＳ）、上述したステップＳ１４〜Ｓ１９の処理を繰り返して実行し、裏面の倍率、先端タイミング、片寄りの各調整データを入力させる。続いて、調整データ設定画面１２１において、確定ボタンが指示されたか否かを判別し（ステップＳ２１）、確定ボタンが指示された場合（ステップＳ２１；ＹＥＳ）、設定条件入力画面（図７参照）を表示させる（ステップＳ２２）。
【００４３】
図７を参照して、設定条件入力画面について説明する。
図７は、設定条件入力画面１２２の一例を示す図である。図７に示すように、設定条件入力画面１２２には、登録名を表示する領域１２２ａ、トレイの種類を選択する項目１２２ｂ、材質を選択する項目１２２ｃ、坪量を選択する項目１２２ｄ、銘柄を選択する項目１２２ｅ、確定の指示を入力するボタン１２２ｆが設けられている。
【００４４】
領域１２２ａには、調整データ入力画面１２１において、入力された登録名が表示される。項目１２２ｂには、画像形成装置１に備えるトレイの種類を選択入力するためトレイの種類が一覧表示されている。項目１２２ｃには、第１の紙種の特性を示す指標として、材質の種類が一覧表示されている。項目１２２ｄには、第２の紙種の特性を示す指標として、所定範囲に区分された坪量が一覧表示されている。項目１２２ｅには、第３の紙種の特性を示す指標として、転写紙の銘柄が一覧表示されている。
【００４５】
図５に戻り、ＣＰＵ１１ａは、操作表示部１２に表示させた設定条件入力画面１２２において設定条件を入力させ、入力された設定条件を取得する（ステップＳ２３）。そして、設定条件入力画面１２２において、確定ボタンが指示されたか否かを判別し（ステップＳ２４）、確定ボタンが指示された場合（ステップＳ２４；ＹＥＳ）、設定条件入力画面を閉じて調整データ設定画面に戻り、調整データ設定画面において、登録ボタンが指示されたか否かを判別する（ステップＳ２５）。そして、登録ボタンが指示された場合（ステップＳ２５；ＹＥＳ）、本調整データ設定処理を終了して、登録処理に移行する。
【００４６】
続いて、図４に戻り、ＣＰＵ１１ａは、調整データの設定を終了する指示がされた場合（ステップＳ４；ＹＥＳ）、調整データ及び設定条件を調整ファイル１１ｆの所定のレコードに格納させる（ステップＳ５）。次いで、登録を終了するか否かを判別し（ステップＳ６）、登録を継続して行う指示が入力された場合（ステップＳ６；ＮＯ）、ステップＳ２に移行して上述した処理を繰り返して実行する。一方、登録を終了する指示が入力された場合（ステップＳ６；ＹＥＳ）、本登録処理を終了する。なお、ステップＳ４において、調整データ設定処理が正しく終了されず、エラー等が発生した場合（ステップＳ４；ＮＯ）、調整データ設定処理で設定されたデータによる調整ファイル１１ｆの書き換えを行わずに本登録処理を終了する。
【００４７】
以上のように、本実施の形態の画像形成装置１によれば、転写紙の紙種及び当該紙種毎に転写紙が格納されるトレイに応じて、縦／横倍率、先端タイミング、片寄り等の調整データを操作表示部１２から入力させて、入力された調整データを調整ファイル１１ｆに設定する。そして、画像形成を行う際に、転写紙の紙種及びトレイに応じて調整ファイル１１ｆから調整データを取得し、調整データに基づく画像形成を行わせる。
【００４８】
したがって、転写紙の紙種の特性を示す指標、転写紙を格納するトレイ、転写紙の表面／裏面に応じて、縦／横倍率、先端タイミング、片寄り等の調整データをユーザにより設定可能となるため、ユーザの使用目的に応じて最適な調整を行うことができ、精度良く転写紙の表面及び裏面に画像を形成することができる。また、縦／横倍率、先端タイミング、片寄り等の調整データを設定することにより、転写紙に形成される画像の倍率補正、位置ズレや片寄りの補正を精度よく行うことができ、高品質な画像を提供することができる。
【００４９】
また、複数の紙種の特性を示す指標（例えば、材質、坪量、銘柄、製造方法、サイズ、スキ方向、表面粗さ等）に応じて、調整データを設定することができるため、詳細な転写紙の性質に応じて調整データを設定できる。これにより、紙種の微差によって生じる位置ズレや片寄りを精度よく補正することができる。
【００５０】
また、ユーザにより設定された調整データを複数調整ファイル１１ｆに記憶させ、ユーザの設定又は紙種の特性を示す指標、トレイ等に応じて、適宜最適な調整データを取得して、画像形成を行うことができるため、画像形成毎に調整データを設定する必要がなく、容易に最適な調整データに基づいて、画像形成を行うことができる。
【００５１】
或いは、トレイ毎に調整データを設定可能としたため、紙種を意識することなくトレイの種類に応じて、最適な調整データに基づいて画像形成を行うことができる。これにより、ユーザは、複雑な紙種をそれぞれ把握する必要がなく、紙種の選択ミス等を防止することができる。
【００５２】
なお、上述した本実施の形態における記述は、本発明に係る好適な画像形成装置の一例であり、これに限定されるものではない。例えば、調整ファイル１１ｆに記憶される調整データはＪＯＢモードに対応付けて記憶される構成であってもよい。具体的に、両面印刷を行うＪＯＢモードには、転写紙の表面／裏面に応じた調整データ記憶させ、両面印刷以外を行うＪＯＢモードには、転写紙の一面に対応する調整データを記憶させることにより、設定されたＪＯＢモードに応じて、最適な調整データを取得させて画像形成を行わせることができる。これにより、例えば、表面／裏面に応じて、画像形成時の条件が異なる場合に、最適な調整データに基づいて画像形成を行うことができる。
【００５３】
また、本実施の形態においては、ユーザの指示に応じて、調整モードを設定して、調整データの設定、登録を行う構成として説明を行ったが、これに限らない。例えば、ＪＯＢの一部を実行して出力された画像確認を行う場合に、画像確認後に調整モードが設定され、調整データの設定、登録が行われる構成であってもよい。これにより、画像確認後に、調整データの再設定を行うことができ、転写紙に形成される画像の倍率や画像位置を微調整して高精度な画像を提供することができる。
【００５４】
また、本実施の形態における紙種や調整データの種類は、上述した例に限定されない。例えば、紙種は、ＯＨＰシート、トレーシングペーパ、フィルム等を含む構成であってもよい。或いは、調整データは、紙送りの速度やドラムの回転速度等を含む構成であってもよい。
【００５５】
また、本実施の形態においては、ユーザにより設定された調整データに基づいて、画像形成を行う場合を例として説明したが、これに限らず、例えば、調整ファイル１１ｆに、予め設定された調整データの基準値を記憶しておき、ユーザの指示に応じて又は紙種、トレイ、ＪＯＢモードに対応する調整データがない場合に、調整データの基準値に基づいて画像形成が行われる構成であってもよい。これにより、調整データを設定していない場合であっても、基準値に基づいて精度よく画像形成を行うことができる。或いは、基準値に基づいて、調整データを微調整することにより、最適な調整データを容易に設定することができる。
【００５６】
さらに、本実施の形態においては、調整データ入力画面において入力された調整データをトレイ、紙種の特性を示す指標等に基づいて調整ファイル１１ｆに記憶する構成として説明を行ったが、調整ファイル１１ｆに調整データを記憶せずにＲＡＭ１１ｃに一時的に記憶させ、入力された調整データに基づいて画像形成を行なった後、ＲＡＭ１１ｃから調整データを消去する構成であってもよい。これにより、不必要な調整データを調整ファイル１１ｆに記憶させることがなく、不揮発メモリ１１ｅのデータ容量を効率良く使用することができる。
【００５７】
その他、本実施の形態における画像形成装置１の構成部分の細部構成、及び細部動作に関しても、本発明の趣旨を逸脱することのない範囲で適宜変更可能である。
【図面の簡単な説明】
【００５８】
【図１】本発明を適用した実施の形態における画像形成装置の機能的構成を示すブロック図である。
【図２】図１に示す制御部１１の要部構成を示すブロック図である。
【図３】図２に示す調整ファイル１１ｆのデータ構成例を示す図である。
【図４】図２に示すＣＰＵ１１により実行される登録処理を示すフローチャートである。
【図５】図３に示す登録処理の一部として実行される調整データ設定処理を示すフローチャートである。
【図６】操作表示部１２に表示される調整データ設定画面１２１の一例を示す図である。
【図７】操作表示部１２に表示される設定条件入力画面１２２の一例を示す図である。
【符号の説明】
【００５９】
１  画像形成装置
１１    制御部
１１ａ    ＣＰＵ
１１ｂ    ＲＯＭ
１１ｃ    ＲＡＭ
１１ｄ    Ｉ／Ｏ
１１ｅ    不揮発メモリ
１１ｆ    調整ファイル
１２    操作表示部
１３    読込部
１４    画像形成部
１５    エンジン制御部
１６    駆動部
１７    センサ部
【図１】
2005186335.tif 000003
【図２】
2005186335.tif 000004
【図３】
2005186335.tif 000005
【図４】
2005186335.tif 000006
【図５】
2005186335.tif 000007
【図６】
2005186335.tif 000008
【図７】
2005186335.tif 000009